(57)【特許請求の範囲】
【請求項１】
スクイズ変形可能なやや偏平な有底筒形状に成形された胴部(2) の上端に、口部(3) を起立連設した容器本体(1) と、前記口部(3) に不動に組付く組付き筒(11)の上端に、外周面に螺条(17)を有すると共に、上端部に栓筒片(20)と窓孔(21)を設けた注出筒(13)を起立連設した中栓体(10)と、前記組付き筒(11)に回転可能に外嵌する円筒形状の内筒片(32)と略楕円形状の外筒片(33)との二重構造に形成されたスカート筒(31)の上端に、内周面に螺条(39)を有すると共に、上端部に前記栓筒片(20)に密に摺接可能な注出口(40)を開設したカバー筒(35)を起立連設し、前記中栓体(10)に螺合により昇降可能にかつ離脱不能に組付くキャップ体(30)と、から構成され、前記組付き筒(11)の外周面に係止突片(16)を設けると共に、前記内筒片(32)の内周面に、前記中栓体(10)に対するキャップ体(30)の螺合締め付け限において前記係止突片(16)に乗り越えにより係止可能な係止片(37)を設けて成る注出容器。
【発明の詳細な説明】
【０００１】
【発明の属する技術分野】
本発明は、スクイズ性を利用して内容液を注出する合成樹脂製注出容器に関するものである。
【０００２】
【従来の技術】
胴部を把持した指先で押圧することにより、この胴部をスクイズ変形させてシャンプーやリンス等の内容液を注出する合成樹脂製の液体注出容器が種々知られている。
【０００３】
この注出容器の一つとして、容器本体の口部に不動に組付けられて、外周面に螺条を刻設した注出筒の上端部に栓筒片と窓孔を設けた中栓体と、この中栓体に螺合により昇降可能にかつ離脱不能に組付き、上端に注出口を開設したキャップ体と、を有し、キャップ体の回転操作による昇降によってその注出口に栓筒片を嵌脱させ、これにより注出口を開閉するようにしたものが知られている。
【０００４】
【発明が解決しようとする課題】
しかしながら、上記した従来技術にあっては、使用後の注出口の密閉は、キャップ体の螺合締め付けによって、注出口に中栓体の栓筒片を密嵌させて達成するように構成されているので、流通段階や非使用時において、中栓体に対するキャップ体の螺合締め付けが緩む可能性を有しており、この緩みにより注出口に対する栓筒片の密嵌も解除されて気密性が損なわれ、もって内容液の品質が劣化する恐れがある、と云う問題があった。
【０００５】
そこで、本発明は、上記した従来技術における問題点を解消すべく創案されたもので、中栓体に対するキャップ体の螺合締め付けによってキャップ体の注出口を密閉する注出容器において、キャップ体の螺合締め付けの緩みを防止することを技術的課題とし、もって非使用時における密閉を確実に保持すると共に、使用時における良好な使用感を得ることを目的とする。
【０００６】
【課題を解決するための手段】
上記技術的課題を解決する本発明の手段は、
スクイズ変形可能なやや偏平な有底筒形状に成形された胴部の上端に、口部を起立連設した容器本体を有すること、
容器本体の口部に不動に組付く組付き筒の上端に、外周面に螺条を有し、上端部に栓筒片と窓孔を設けた注出筒を起立連設した中栓体を有すること、
中栓体の組付き筒に回転可能に外嵌する円筒形状の内筒片と、略楕円形状の外筒片との二重構造に形成されたスカート筒の上端に、内周面に螺条を有し、上端部に中栓体の栓筒片に密に摺接可能な注出口を開設したカバー筒を起立連設し、中栓体に螺合により昇降可能にかつ離脱不能に組付くキャップ体を有すること、
中栓体の組付き筒の外周面に係止突片を設けると共に、キャップ体の内筒片の内周面に、中栓体に対するキャップ体の螺合締め付け限において係止突片に乗り越えにより係止可能な係止片を設けること、
にある。
【０００７】
注出容器の非使用時には、中栓体に対するキャップ体の螺合締め付けにより、キャップ体の係止片が中栓体の係止突片に乗り越えにより係止すると共に、キャップ体の下降によりその注出口に栓筒片が密嵌している。
【０００８】
中栓体の係止突片に対するキャップ体の係止片の乗り越え時にクリック感があるため、使用者はキャップ体による密閉を確認でき、良好な使用感を得ることができると共に、係止突片と係止片との係止により、キャップ体の螺合締め付けが緩む恐れがなく、密閉状態が確実に保持される。
【０００９】
注出容器の使用時には、キャップ体を螺脱方向に回転操作して係止突片と係止片との係止を解除させ、キャップ体を上昇させれば、キャップ体の注出口から中栓体の栓筒片が離脱するため、注出口は開放され、注出可能となる。
【００１０】
【発明の実施の形態】
以下、本発明の一実施例を、図面を参照しながら説明する。
容器本体１は、スクイズ変形可能な比較的軟質な合成樹脂材料により、やや偏平な有底筒形状に成形された胴部２の上端に、外周面に周方向に分割された一対のアンダーカット結合用の係止条４を突設した口部３を起立連設して構成されている（図２参照）。
【００１１】
中栓体１０は、容器本体１の口部３にアンダーカット結合により不動に組付く組付き筒１１の上端に、フランジ部１２を介して注出筒１３を立設して構成されている。
【００１２】
中栓体１０の組付き筒１１の内周面には、口部３の一対の係止条４間に位置して中栓体１０の周方向の組付き位置を特定すると共に、中栓体１０の回転を防止する一対の縦条１４が突設されており、また組付き筒１１の外周面には、上端に係止突条１５が周設されていると共に、下端部の軸対称位置に一対の縦条状の係止突片１６が設けてある。
【００１３】
中栓体１０の注出筒１３の外周面には、軸対称に一対の螺条１７が形成されていると共に、下端部の所定位置にストッパ片１８が突設されている。
【００１４】
また、注出筒１３の上端開口部には、図３に示すように複数（この実施例では三本）の連結片１９を介して栓筒片２０が軸心位置に設けてあり、各連結片１９間の三つの空間が、内容液が通過する窓孔２１に形成されている。
【００１５】
キャップ体３０は、図１、図４、図５に示すように、円筒形状の内筒片３２と楕円形状の外筒片３３との二重構造に形成されたスカート筒３１の上端に、肩部３４を介してカバー筒３５を立設して構成されている。
【００１６】
キャップ体３０の内筒片３２の内周面には、中栓体１０の組付き筒１１の係止突条１５に係止可能な抜け止め条３６が周設されていると共に、その下方の所定の軸対称位置には、係止突片１６に乗り越えにより係止可能な一対の縦条状の係止片３７が突設されている。
【００１７】
肩部３４の下面には、係止片３７が係止突片１６を乗り越えた際に中栓体１０のストッパ片１８に突き当る突き当り片３８が突設されている。
【００１８】
カバー筒３５の内周面には、注出筒１３の螺条１７に螺合する軸対称の一対の螺条３９が形成されていると共に、このカバー筒３５の上端部には注出口４０が開設されており、注出口４０の内径およびカバー筒３５の上端部の内径は、それぞれ栓筒片２０の外周面および注出筒１３の上端部の外周面に密に摺接可能な大きさに形成されている。
【００１９】
図１の右半分は、容器の非使用時における密閉状態を示し、中栓体１０に対するキャップ体３０の螺合締め付けにより、キャップ体３０の係止片３７が中栓体１０の係止突片１６に乗り越えにより係止する（図５参照）と共に、キャップ体３０の下降によりその注出口４０に栓筒片２０が密嵌している。
【００２０】
なお、この係止状態では、偏平状の容器本体１と楕円形状のスカート筒３１の外筒片３３との各長軸の方向が一致した状態で係止し、容器本体１とキャップ体３０との周方向の位置合わせが達成されている。
【００２１】
使用時には、この状態から、キャップ体３０を螺脱方向に例えば半回転、回転操作して係止突片１６と係止片３７との係止を解除させ、キャップ体３０を上昇させれば、注出口４０から栓筒片２０が離脱するため、注出口４０は開放され、注出可能となる（図１の左半分参照）。
【００２２】
【発明の効果】
本発明は、上記した構成となっているので、以下に示す効果を奏する。
容器本体に不動に組付く中栓体と、この中栓体に対する螺合による昇降によりその注出口が開閉されるキャップ体との間に、キャップ体の螺合締め付け限において乗り越えにより係止する係止手段を設けたので、流通段階や購入された後の非使用時においてキャップ体の螺合締め付けが緩む恐れがなく、注出口の密閉状態が確実に保持されるため、内容液の品質劣化も確実に防止される。
【００２３】
係止手段の乗り越え時にクリック感があるため、使用者はキャップ体による密閉を確認でき、安心して使用できると共に、良好な使用感を得ることができる。
【００２４】
また、係止を、偏平状の容器本体と略楕円形状のスカート筒の外筒片との各長軸の方向が一致した状態で係止させることにより、容器本体とキャップ体との周方向の位置合わせを容易に達成することができる。
【図面の簡単な説明】
【図１】本発明の一実施例を示す、右半分は注出口密閉状態の、左半分は同開放状態のそれぞれ要部縦断面図。
【図２】図１に示した実施例の、容器本体上部の斜視図。
【図３】図１に示した実施例の、中栓体上部の斜視図。
【図４】図１に示した実施例の、キャップ体の斜視図。
【図５】図４に示したキャップ体の底面図。
【符号の説明】
１  ；  容器本体
２  ；  胴部
３  ；  口部
４  ；  係止条
１０；  中栓体
１１；  組付き筒
１２；  フランジ部
１３；  注出筒
１４；  縦条
１５；  係止突条
１６；  係止突片
１７；  螺条
１８；  ストッパ片
１９；  連結片
２０；  栓筒片
２１；  窓孔
３０；  キャップ体
３１；  スカート筒
３２；  内筒片
３３；  外筒片
３４；  肩部
３５；  カバー筒
３６；  抜け止め条
３７；  係止片
３８；  突き当り片
３９；  螺条
４０；  注出口
【図１】
0003837590.tif 000002
【図２】
0003837590.tif 000003
【図３】
0003837590.tif 000004
【図４】
0003837590.tif 000005
【図５】
0003837590.tif 000006